(57)【特許請求の範囲】
【請求項１】
車室内空調に用いられ、少なくとも圧縮機（１２）、放熱用熱交換器（１３）、減圧装置（１５）、蒸発器（１６）を備える冷凍サイクル（１１）と、
前記蒸発器に空気を送風する室内送風装置（１７）と、
前記冷凍サイクルにおける、前記蒸発器出口部と前記圧縮機入口部との間の通路に設けられる冷媒液溜め部（１８，１８Ａ）と、
車両に搭載され、前記冷媒液溜め部に溜められる液体冷媒を用いて冷却される発熱体（５，５Ａ）と、
前記蒸発器と前記冷媒液溜め部とを接続する通路であって前記蒸発器から前記冷媒液溜め部に向けて液体冷媒が流通する第１の通路（１１１，１１１Ａ）、及び前記蒸発器と前記冷媒液溜め部とを接続する通路であって前記冷媒液溜め部から前記蒸発器に向けて気体冷媒が流通する第２の通路（１１２，１１２Ａ）を含むループ通路（１１０，１１０Ａ）と、
前記第１の通路における前記液体冷媒の流通を許可及び禁止する流通許否装置（１９，１９Ａ）と、を備え、
前記発熱体の温度が予め定める冷却実施温度を満たす場合には、前記流通許否装置は前記第１の通路における前記液体冷媒の流通を許可して前記ループ通路を開放するとともに、前記蒸発器は、前記第２の通路を介して内部に取り込んだ気体冷媒を、前記室内送風装置によって前記蒸発器に送風される空気と熱交換させることによって、当該気体冷媒の熱を放熱することを特徴とする車両用冷却装置。
【請求項２】
前記冷媒液溜め部に溜まる液体冷媒の液面位置を検出する液位検出装置（３０）を備え、
前記液位検出装置によって検出される液位が、予め定める所定値以下である場合は、前記圧縮機を駆動し、かつ前記室内送風装置を動作しないことを特徴とする請求項１に記載の車両用冷却装置。
【請求項３】
前記放熱用熱交換器は、車室外に配置されており、
前記放熱用熱交換器に空気を送風する室外送風装置（１４）と、車室内における乗員の有無を検出する乗員検出装置（３３）とを備え、
当該乗員検出装置が乗員を検出した場合は、前記放熱用熱交換器の内部に取り込んだ冷媒を、前記室外送風装置によって前記放熱用熱交換器に送風される空気と熱交換させることによって、前記放熱用熱交換器において放熱することを特徴とする請求項１または請求項２に記載の車両用冷却装置。
【請求項４】
車室内温度を検出する室温検出装置（３１）を備え、
前記乗員検出装置が乗員を検出したときでも、前記室温検出装置によって検出される車室内温度が予め定める所定温度以下である場合は、前記第２の通路を介して前記蒸発器の内部に取り込んだ気体冷媒を、前記室内送風装置によって前記蒸発器に送風される空気と熱交換させることによって、前記蒸発器において放熱することを特徴とする請求項３に記載の車両用冷却装置。
【請求項５】
車両に搭載される蓄電装置（１）への外部電力の充電を制御する充電器（５）を備え、前記発熱体は、前記充電器に搭載される半導体素子（５０）であることを特徴とする請求項１から請求項４のいずれか一項に記載の車両用冷却装置。
【請求項６】
前記半導体素子の温度が予め定める第１の判定温度未満であるときは、前記冷却実施温度を満たさないと判定し、前記流通許否装置は前記第１の通路における前記液体冷媒の流通を禁止して前記ループ通路を閉塞するとともに、前記室内送風装置は動作しないことを特徴とする請求項５に記載の車両用冷却装置。
【請求項７】
前記半導体素子の温度が、前記第１の判定温度以上であって、前記第１の判定温度よりも高温に設定された第２の判定温度以下であるときは、前記冷却実施温度を満たすことを特徴とする請求項６に記載の車両用冷却装置。
【請求項８】
前記半導体素子の温度が前記第２の判定温度を超えるときは、前記充電器による前記蓄電装置（１）への充電を禁止することを特徴とする請求項７に記載の車両用冷却装置。
【請求項９】
前記蒸発器と前記第１の通路との接続部位は、前記冷媒液溜め部と前記第１の通路との接続部位よりも高い位置に設定されており、
前記流通許否装置は、前記第１の通路を開閉する弁（１９）であることを特徴とする請求項１から請求項８のいずれか一項に記載の車両用冷却装置。
【請求項１０】
前記流通許否装置は、前記第１の通路において、前記蒸発器から前記冷媒液溜め部に向けて液体冷媒を強制的に流通させるポンプ（１９Ａ）であることを特徴とする請求項１から請求項８のいずれか一項に記載の車両用冷却装置。
【発明の詳細な説明】
【技術分野】
【０００１】
本発明は、空調用の冷凍サイクルを用いて車両の発熱体を冷却する車両用冷却装置に関する。
【背景技術】
【０００２】
従来技術として、例えば特許文献１に記載の装置が知られている。特許文献１に記載の装置は、電動車両に搭載された充電器を内蔵する充電器ケースに、冷却ファンを備えるものである。冷却ファンは、充電器ケースに形成された空気吸入口に対向する位置に配置され、冷却ファンの駆動により空気が空気吸入口から吸入されて充電器ケースの内部を流通し、充電器ケースに形成された空気排出口から排出される。この充電ケース内部における空気の流通により、電子部品、例えば半導体、ＤＣ／ＤＣコンバータ、トランス等の表面が冷やされることになる。
【０００３】
他に走行用インバータ、エアコン用インバータ等の発熱体を冷却する従来技術として、特許文献２に記載の装置が知られている。特許文献２に記載の装置は、電気自動車用の冷却システムに用いる沸騰冷却装置であり、冷媒槽、放熱器、及び冷却用ファンより構成されている。冷媒槽は、２枚の薄肉部材を接合して形成された冷媒室を備え、冷媒室には冷媒が封入されている。発熱体は、その放熱面が熱伝導グリースを介して薄肉部材の取付平面に密着するように冷媒槽に固定されている。冷却用ファンは、放熱器へ強制的に冷却風を送風する。
【０００４】
車両走行時に走行用インバータ、エアコン用インバータから発生した熱は、薄肉部材を介して冷媒槽の冷媒に伝わり、冷媒を沸騰気化させる。沸騰した冷媒は、冷媒槽内を上昇し、放熱器の内部に流入し、気化した蒸発冷媒が冷却用ファンの送風を受けて低温となっている放熱チューブの内壁面に接触すると、凝縮潜熱を放出して凝縮液化し、自重により放熱チューブ内を流下して再び冷媒槽へ戻る。このように冷媒の沸騰、凝縮熱伝達が繰り返されて、発熱体から発生した熱が大気へ放出されて、発熱体が冷却される。
【先行技術文献】
【特許文献】
【０００５】
【特許文献１】特開２０００−３０８２６５号公報
【特許文献２】特開平８−８６５５１号公報
【発明の概要】
【発明が解決しようとする課題】
【０００６】
特許文献１に記載する装置の場合には、充電器を空気によって冷却するために、冷却用ファンを設置する必要があり、専用の冷却用装置が別途必要になる。
【０００７】
また、特許文献２に記載する装置の場合には、インバータを冷却するために、専用の放熱器や冷媒を備える必要がある。このように従来技術では、専用の機器や設備を必要とするため、部品点数、車両への搭載性、及びコスト面において問題がある。
【０００８】
本発明は上記問題に鑑みてなされたものであり、空調用の冷凍サイクルを活用して、専用のシステム等を追加することなく車両の発熱体の冷却を可能にする車両用冷却装置を提供することを目的とする。
【課題を解決するための手段】
【０００９】
本発明は上記目的を達成するために、以下の技術的手段を採用する。請求項１に記載の車両用冷却装置に係る発明は、車室内空調に用いられ、少なくとも圧縮機（１２）、放熱用熱交換器（１３）、減圧装置（１５）、蒸発器（１６）を備える冷凍サイクル（１１）と、蒸発器に空気を送風する室内送風装置（１７）と、冷凍サイクルにおける、蒸発器出口部と圧縮機入口部との間の通路に設けられる冷媒液溜め部（１８，１８Ａ）と、車両に搭載され、冷媒液溜め部に溜められる液体冷媒を用いて冷却される発熱体（５，５Ａ）と、蒸発器と冷媒液溜め部とを接続する通路であって蒸発器から冷媒液溜め部に向けて液体冷媒が流通する第１の通路（１１１，１１１Ａ）、及び蒸発器と冷媒液溜め部とを接続する通路であって冷媒液溜め部から蒸発器に向けて気体冷媒が流通する第２の通路（１１２，１１２Ａ）を含むループ通路（１１０，１１０Ａ）と、第１の通路における液体冷媒の流通を許可及び禁止する流通許否装置（１９，１９Ａ）と、を備え、
発熱体の温度が予め定める冷却実施温度を満たす場合には、流通許否装置は第１の通路における液体冷媒の流通を許可してループ通路を開放するとともに、蒸発器は、第２の通路を介して内部に取り込んだ気体冷媒を、室内送風装置によって蒸発器に送風される空気と熱交換させることによって、当該気体冷媒の熱を放熱することを特徴とする。
【００１０】
この発明によれば、車両に搭載されている空調用の冷凍サイクルを活用し、蒸発器を放熱器として機能させて、発熱体の発熱によって気化した冷媒を再び液化することにより、発熱体の廃熱を車室内に放出することができる。すなわち、流通許否装置の許可動作によって第１の通路を介して蒸発器から冷媒液溜め部への液体冷媒の流入を促すとともに、発熱体の発熱によって冷媒液溜め部の液体冷媒を気化して第２の通路を介して蒸発器に戻し、さらに蒸発器で液化させる。これにより、発熱体の熱を、液体冷媒、冷媒の気化、冷媒の液化、室内空気の順に、熱移動させることができる。したがって、専用のシステム等を追加することなく車両の発熱体の冷却を可能にする車両用冷却装置が得られる。
【００１１】
請求項２の発明によると、請求項１に記載の発明において、冷媒液溜め部に溜まる液体冷媒の液面位置を検出する液位検出装置（３０）を備え、液位検出装置によって検出される液位が、予め定める所定値以下である場合は、圧縮機を駆動し、かつ室内送風装置を動作しないことを特徴とする。
【００１２】
この発明によれば、冷媒液溜め部に液体冷媒が不足していると判断した場合に、蒸発器に液体冷媒をねこませるように冷凍サイクル内の冷媒流動を制御できる。これにより、蒸発器にねこませた冷媒を冷媒液溜め部に蓄える状態に移行することが可能になり、発熱体を冷却できなくなる状態を回避することができる。
【００１３】
請求項３の発明によると、請求項１または請求項２に記載の発明において、放熱用熱交換器は、車室外に配置されており、放熱用熱交換器に空気を送風する室外送風装置（１４）と、車室内における乗員の有無を検出する乗員検出装置（３３）とを備え、
当該乗員検出装置が乗員を検出した場合は、放熱用熱交換器の内部に取り込んだ冷媒を、室外送風装置によって放熱用熱交換器に送風される空気と熱交換させることによって、放熱用熱交換器において放熱することを特徴とする。
【００１４】
発熱体の冷却時に車室内に乗員が存在することがあるが、この場合でも、本発明によれば、乗員が車室内に存在するとき、車室内ではなく、放熱用熱交換器を介して車室外に放熱が行われる。これにより、乗員が発熱体の廃熱によって不快に感じることを抑制することができる。したがって、乗員の快適性に配慮した発熱体の冷却システムを提供できる。
【００１５】
請求項４の発明によると、請求項３に記載の発明において、車室内温度を検出する室温検出装置（３１）を備え、乗員検出装置が乗員を検出したときでも、室温検出装置によって検出される車室内温度が予め定める所定温度以下である場合は、第２の通路を介して蒸発器の内部に取り込んだ気体冷媒を、室内送風装置によって蒸発器に送風される空気と熱交換させることによって、蒸発器において放熱することを特徴とする。
【００１６】
この発明によれば、乗員が車室内に存在する場合でも、車室内温度が低い状態であると判断したときには、蒸発器を介して車室内に放熱が行われる。これにより、車室内に発熱体の廃熱を放出しても、乗員が不快に感じない状態に所定温度以下の状態を設定することにより、車室内温度を下げないように車室内への放熱をエネルギー利用することができる。したがって、発熱体の廃熱の有効活用が図れ、車両におけるエネルギーの効率を向上することができる。
【００１７】
請求項５の発明によると、請求項１から請求項４のいずれか一項に記載の発明において、車両に搭載される蓄電装置（１）への外部電力の充電を制御する充電器（５）を備え、発熱体は、充電器に搭載される半導体素子（５０）であることを特徴とする。
【００１８】
この発明によれば、車両に搭載されている空調用の冷凍サイクルを活用し、蒸発器を放熱器として機能させて、半導体素子の発熱によって気化した冷媒を再び液化することにより、半導体素子の廃熱を車室内に放出することができる。これにより、専用のシステム等を追加することなく充電器の冷却を可能にする車両用冷却装置が得られる。
【００１９】
請求項６の発明によると、請求項５に記載の発明において、半導体素子の温度が予め定める第１の判定温度未満であるときは、冷却実施温度を満たさないと判定し、流通許否装置は第１の通路における液体冷媒の流通を禁止してループ通路を閉塞するとともに、室内送風装置は動作しないことを特徴とする。
【００２０】
この発明によれば、半導体素子の温度が上記の冷却実施温度を満たさないときは、流通許否装置の禁止動作によって冷媒液溜め部への液体冷媒の流入を阻止するとともに、室内送風装置を駆動しないことにより、半導体素子の冷却を実施しない。これにより、無駄な冷却実施を抑制するため、車両におけるエネルギーの有効利用が図れる。
【００２１】
請求項７の発明によると、請求項６に記載の発明において、半導体素子の温度が、第１の判定温度以上であって、第１の判定温度よりも高温に設定された第２の判定温度以下であるときは、冷却実施温度を満たすことを特徴とする。
【００２２】
この発明によれば、半導体素子の温度が上記の冷却実施温度を満たす範囲にあるときは、流通許否装置の許可動作によって第１の通路を介して蒸発器から冷媒液溜め部への液体冷媒の流入を促すとともに、半導体素子の発熱によって冷媒液溜め部の液体冷媒を気化して第２の通路を介して蒸発器に戻し、さらに蒸発器で液化させる。これにより、半導体素子の温度を予め定めた許容温度範囲に管理することができる。
【００２３】
請求項８の発明によると、請求項７に記載の発明において、半導体素子の温度が第２の判定温度を超えるときは、充電器による蓄電装置（１）への充電を禁止することを特徴とする。この発明によれば、半導体素子の温度が第２の判定温度を超えるときは、冷媒を使用した充電器の冷却を行うのではなく、充電運転を停止する。これにより、半導体素子が発熱する状況を取り除き、半導体素子の損傷を回避するようにできる。
【００２４】
請求項９の発明によると、請求項１から請求項８のいずれか一項に記載の発明において、蒸発器と第１の通路との接続部位は、冷媒液溜め部と第１の通路との接続部位よりも高い位置に設定されており、流通許否装置は、第１の通路を開閉する弁（１９）であることを特徴とする。
【００２５】
この発明によれば、重力作用を利用することにより、蒸発器の液体冷媒を冷媒液溜め部に流下させることができる。これにより、流通許否装置として開閉弁を採用することができるので、装置の構成の簡単化が図れる。
【００２６】
請求項１０の発明によると、請求項１から請求項８のいずれか一項に記載の発明において、流通許否装置は、第１の通路において、蒸発器から冷媒液溜め部に向けて液体冷媒を強制的に流通させるポンプ（１９Ａ）であることを特徴とする。この発明によれば、ポンプの駆動力を用いることにより、蒸発器の液体冷媒を冷媒液溜め部に強制的に流下させることができる。これにより、蒸発器、冷媒液溜め部、及びループ通路の位置関係に拘束されにくい自由度の高い装置を提供できる。
【００２７】
なお、上記各手段の括弧内の符号は、後述する実施形態記載の具体的手段との対応関係を示すものであり、一例にすぎず、特許発明の範囲を限定するものではない。
【図面の簡単な説明】
【００２８】
【図１】本発明を適用する第１実施形態に係る車両用冷却装置を示す構成図である。
【図２】第１実施形態の車両用冷却装置の要部を示す概要図である。
【図３】第１実施形態の車両用冷却装置における冷却制御を説明する第１のフローチャートである。
【図４】第１実施形態の車両用冷却装置における冷却制御を説明する第２のフローチャートである。
【図５】本発明を適用する第２実施形態の車両用冷却装置の要部を示す概要図である。
【図６】第２実施形態の車両用冷却装置における冷却制御を説明する第１のフローチャートである。
【図７】第２実施形態の車両用冷却装置における冷却制御を説明する第２のフローチャートである。
【図８】本発明を適用する第３実施形態に係る車両用冷却装置を示す構成図である。
【図９】本発明を適用する第４実施形態に係る車両用冷却装置を示す構成図である。
【図１０】第４実施形態の車両用冷却装置における冷却制御を説明するフローチャートである。
【発明を実施するための形態】
【００２９】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００３０】
（第１実施形態）
以下、本発明を適用した第１実施形態の車両用冷却装置２０について図１〜図４を参照して説明する。図１は、車両用冷却装置２０を示した構成図であり、図２は、車両用冷却装置２０の要部を示す概要図である。
【００３１】
車両用冷却装置２０は、空調用の冷凍サイクル１１、走行用駆動源としての走行用モータ３、外部電力等から充電し走行用モータ３等の電機部品に電力を供給する蓄電池１、及び発熱体の一例である充電器５、機器の作動を制御する制御装置１０等を備え、プラグインハイブリッド自動車や電気自動車に搭載される車両搭載の発熱体を冷却する装置である。車両用冷却装置２０によって冷却される発熱体は、例えば、充電時に発熱する充電器５、走行用モータ３やスタータ駆動用のインバータ装置、蓄電池１、コンバータ等である。なお、電気自動車の場合は、走行用モータ３が蓄電池１に充電された電力を走行用駆動源として車両の駆動輪を回転させ、ハイブリッド自動車の場合は、エンジンが走行用駆動源として機能する場合には車両の駆動輪を回転させ、走行用電力発電源としての機能する場合は走行用モータ３が使用する電力を供給する。
【００３２】
蓄電池１は、商用電源６によって供給される外部電力等を蓄えるとともに、蓄えた電力を走行用モータ３の他、各種電機部品に供給する蓄電装置である。蓄電池１は、例えば、エンジンルームを除く車室内に配置されている。蓄電池１は、例えばニッケル水素二次電池、リチウムイオン二次電池、有機ラジカル電池等で構成され、複数個の電池セルを通電可能に接続した電池集合体で構成されている。複数個の電池セルは、充電、放電、及び温度調節が制御されるようになっている。
【００３３】
蓄電池１が電力を供給する電機部品の例としては、冷凍サイクル１１における電動圧縮機１２を駆動する空調用のインバータ装置２１、蓄電池１に対する充電、放電を制御する充電器５がある。蓄電池１が各種電機部品に電力を供給するときには、例えば、蓄電池１の高電圧をコンバータ等により降圧して低電圧バッテリに供給し、低電圧バッテリの電力を、車両に搭載されるファン、ヘッドライト、ワイパー等の各種電機部品に供給するようにする。
【００３４】
受電部６１は、商用電源６からの電力を受ける受電手段であり、例えば、一端側に商用電源６のコンセントに接続可能なプラグや、商用電源６に接続可能なコネクタ等を備える電力線として形成されている。電力線の他端側は、充電器５に接続されている。ハイブリッド自動車の場合には、充電器５は、発進時、加速時等に走行用モータ３に電力を供給し、減速時には回生発電した電力を蓄電する。
【００３５】
走行用モータ３は、例えば車両のイグニッションスイッチやスタートスイッチ等がオンにされて車両が走行可能であるときに、インバータ装置２によって制御され、走行用モータ３への電力供給が行われ、駆動される。インバータ装置２の駆動は、制御装置１０によって制御される。
【００３６】
冷凍サイクル１１は、電動圧縮機１２、凝縮器１３、減圧装置である膨張弁１５、蒸発器１６、アキュムレータ１８、電磁弁１９等を備え、これらが環状に配管接続された車室内の空調用のサイクルである。制御装置１０は、インバータ装置２１及び充電器５の作動制御、室外送風装置１４及び室内送風装置１７の作動制御、電磁弁１９の作動制御により、空調制御、充電器５の冷却制御を行う。
【００３７】
電動圧縮機１２は、蒸発器１６から流出される気体冷媒を吸入口から吸入して、内部の圧縮機構１２ａで高温高圧に圧縮した後に、凝縮器１３に向けて吐出する流体機械である。圧縮機構１２ａは、例えば、固定スクロールと旋回スクロールとを有するスクロール型の圧縮機構を採用する。スクロール型の圧縮機構では、旋回スクロールにモータ部１２ｂの回転軸が接続され、モータ部１２ｂの作動によって旋回スクロールが固定スクロールに対して旋回することで、２つのスクロール間に形成される空間（圧縮室）の拡大、収縮が繰り返されて、冷媒の吸入、圧縮、吐出が行われる。
【００３８】
モータ部１２ｂは、円筒状のハウジング１２０内に、回転軸に固定されたロータ１２１と、ロータ１２１の外周側に配設されてハウジング１２０の内周面に固定されたステータ１２２とを有している。モータ部１２ｂでは、ステータ１２２に通電されることで、ロータが回転軸とともに回転して旋回スクロールを駆動する。金属製のハウジング１２０には、インバータ装置２１の外装ケースが一体となっており、両者は熱移動可能に構成されている。この構成により、電動圧縮機１２は、車室内空調用のインバータ装置２１と圧縮機本体とが一体であるインバータ装置一体型の圧縮機である。
【００３９】
インバータ装置２１は、その外装ケース内に収容される複数のスイッチング素子と制御回路とを備えている。スイッチング素子は、半導体素子の１種であるＩＧＢＴ（Insulated Gate Bipolar Transistor）で構成されている。スイッチング素子は、複数（例えば６個）のスイッチ部を有しており、そのオン、オフが切り替わる作動によって、低電圧バッテリから印加される直流電力を３相の交流電力に変換してモータ部１２ｂへ駆動電力として供給する。インバータ装置２１の制御回路は、スイッチング素子の切替え作動に関係する各種の電子部品を備え、制御装置１０によってその作動が制御される。
【００４０】
凝縮器１３は、例えば複数積層されて内部を冷媒が流通する複数のチューブと、各チューブ間に介在される波形のフィンとを備える熱交換部において、電動圧縮機１２から吐出される冷媒を冷却して液体冷媒にする放熱用熱交換器である。凝縮器１３は、車室外に配置されており、凝縮器１３では室外送風装置１４によって送風される冷却用空気により冷媒の冷却が促進される。室外送風装置１４は、制御装置１０によって制御され、低電圧バッテリから供給される電力によって駆動される。
【００４１】
膨張弁１５は、凝縮器１３から流出される液体冷媒を低温低圧に減圧膨張させる減圧装置である。膨張弁１５は、固定式の開度絞り弁である。また膨張弁１５は、電磁式の開度調整弁によって構成されてもよいが、この場合、制御装置１０によって弁の開度が調節される。冷凍サイクル１１の作動時において、膨張弁１５の弁開度が絞られることにより、電動圧縮機１２から膨張弁１５に至る間の高圧側と、膨張弁１５から蒸発器１６に至る間の低圧側との圧力差が大きく設定されて、低圧側の冷媒は低温となる。逆に膨張弁１５の弁開度が大きくされることにより、高圧側と低圧側との圧力差が小さくなる。
【００４２】
蒸発器１６は、車両用空調ユニット７の空気通路内に配置され、凝縮器１３と同様に例えば複数積層されて内部を冷媒が流通する複数のチューブと、各チューブ間に介在される波形のフィンとを備える熱交換部と、複数のチューブの両端部のそれぞれが接続される上部タンク１６０及び下部タンク１６１と、を備える。蒸発器１６は、当該熱交換部において、蒸発器１６から流出される液体冷媒と室内送風装置１７によって車室内に向けて送風される空調用空気との間で熱交換する熱交換器である。したがって、蒸発器１６では、内部を流通する低温の液体冷媒によって空調用空気が冷却されるようになっている。室内送風装置１７は、制御装置１０によって制御され、モータが低電圧バッテリから供給される電力によって駆動される。
【００４３】
アキュムレータ１８は、蒸発器１６の出口と電動圧縮機１２の入口との間の通路に設けられ、蒸発器１６から流出される冷媒の気液を分離する気液分離装置である。アキュムレータ１８は、例えば上下方向に細長の容器体から形成されており、蒸発器１６から流出される冷媒が内部空間に流入されるようになっている。アキュムレータ１８の外装ケース１８０の内部空間では、密度の小さい気体冷媒が上方に溜まり、密度の大きな液体冷媒が下方に溜まることで、気液分離されるようになっている。
【００４４】
ループ通路１１０は、蒸発器１６とアキュムレータ１８とを環状に接続する通路であり、第１の通路１１１と第２の通路１１２を備えて構成される。第１の通路１１１は、蒸発器１６とアキュムレータ１８とを接続する通路であって、蒸発器１６からアキュムレータ１８に向けて液体冷媒が流通する。第２の通路１１２は、蒸発器１６とアキュムレータ１８とを接続する通路であって、アキュムレータ１８から蒸発器１６に向けて気体冷媒が流通する。
【００４５】
第１の通路１１１は、一端部が蒸発器１６の下部タンク１６１の底部に接続され、他端部がアキュムレータ１８の外装ケース１８０の上部に接続され、一端部が他端部よりも高い位置に配置されている。第２の通路１１２は、一端部がアキュムレータ１８の外装ケース１８０の上部に接続され、他端部が蒸発器１６の上部タンク１６０に接続され、他端部が一端部よりも高い位置に配置されている。
【００４６】
第１の通路１１１には、第１の通路１１１における液体冷媒の流通を許可及び禁止する流通許否装置としての電磁弁１９が設けられている。電磁弁１９は、制御装置１０によって開閉されることにより、第１の通路１１１を開放及び閉塞して、液体冷媒の流通を許可及び禁止することができる。したがって、車両走行中等に、通常の空調が行われるときは、電動圧縮機１２が駆動され、電磁弁１９が閉じられると、蒸発器１６で送風される空気から吸熱し、この熱を凝縮器１３で室外空気に放熱する。さらにこのとき、冷媒の一部が液体冷媒として蒸発器１６の下部タンク１６１に停留するが、第１の通路１１１が閉塞されるので、アキュムレータ１８へは移動せず、下部タンク１６１に留まる。
【００４７】
電磁弁１９が開く場合には、第１の通路１１１が開放され、蒸発器１６の下部タンク１６１に停留している液体冷媒は重力によって第１の通路１１１を下降し、アキュムレータ１８の内部に流入して下部に溜まるようになる。アキュムレータ１８に蓄えられた液体冷媒は、液位検出装置の一例であり、アキュムレータ１８に取り付けられた液面センサ３０によって、その液面位置が検出される。検出された液面位置の情報は、制御装置１０に入力される。
【００４８】
アキュムレータ１８内の上部と電動圧縮機１２のハウジング１２０内の上部とは、冷媒配管８で接続されている。アキュムレータ１８内に流入した気体冷媒は、この冷媒配管８を通じて、電動圧縮機１２の上部に流入する。
【００４９】
蒸発器１６の冷媒の吐出側には、冷媒の圧力を検出する圧力センサと、冷媒の温度を検出する温度センサとが設けられている。各センサによって検出された圧力信号および温度信号は、制御装置１０に出力される。
【００５０】
制御装置１０は、冷凍サイクル１１、充電器５、充電器の冷却制御に係る機器等の作動を制御する電子制御装置である。制御装置１０は、例えば、各種ＥＣＵと通信可能に構成される車両制御ＥＣＵであってもよい。制御装置１０は、充電器の冷却制御に関わる、予め設定され、または更新可能な制御プログラムやマップを有し、これらを記憶手段としてのＲＯＭ、ＲＡＭ等に記憶している。
【００５１】
また制御装置１０は、乗員等による空調要求に基づき、インバータ装置２１の作動を制御することによってモータ部１２ｂを作動させて電動圧縮機１２を駆動する。また、制御装置１０は、室内送風装置１７及び室外送風装置１４を作動させるとともに、蒸発器１６出口側の圧力センサからの圧力信号及び温度センサからの温度信号、室温センサ３１からの車室内温度信号に応じて、電動圧縮機１２の出力を調節する。
【００５２】
車室内空調時に冷凍サイクル１１が作動されると、電動圧縮機１２から吐出される冷媒は、凝縮器１３で冷却され、膨張弁１５で低温低圧に減圧され、蒸発器１６では、低温低圧の冷媒によって室内送風装置１７によって車室内へ送風される空調用空気が冷却される。このとき、空調用空気の温度が乗員の要求する要求温度となるように、電動圧縮機１２の回転数が制御される。そして、蒸発器１６から流出される冷媒は、冷媒配管８を通じて電動圧縮機１２に吸入される。また、膨張弁１５が開度調整可能な電子制御弁である場合には、制御装置１０は、蒸発器１６の出口側における冷媒圧力及び冷媒温度に基づく膨張弁１５の弁開度を制御する。
【００５３】
充電器５は、商用電源６からの交流電力を直流電力に変換して蓄電池１に充電する。充電器５は、例えば車両のイグニッションスイッチやスタートスイッチ等がオフにされて車両が走行機能を停止しているときに、乗員等の充電要求に基づき、制御装置１０によって制御されて蓄電池１への充電を行う。充電器５は、その外装ケース内に収容される複数のスイッチング素子５０、制御回路５１、基板５２を備えている。スイッチング素子５０は、基板５２に搭載されている。基板５２は、放熱板５３を介して、冷凍サイクル１１に設けられるアキュムレータ１８の外装ケース１８０に密着するように配置される。放熱板５３は、熱伝導率の良い材質で構成されており、例えば、アルミニウム、銅等の金属である。
【００５４】
スイッチング素子５０は、半導体素子の１種であるＩＧＢＴで構成されている。スイッチング素子５０は、複数のスイッチ部を有しており、そのオン、オフが切り替わる作動によって、商用電源からの交流電力を直流電力に変換してバッテリに電力を供給する。制御回路５１は、スイッチング素子５０の切替え作動に関係する各種の電子部品を備え、制御装置１０によってその作動が制御される。なお、制御回路５１は、制御装置１０と一体に構成するようにしてもよい。
【００５５】
充電器５は、アキュムレータ１８の外装ケース１８０と熱移動可能に一体に構成されている。両者が熱移動可能に一体に構成されるとは、例えば、上記のように、充電器５のスイッチング素子５０の熱が放熱板５３を通じて外装ケース１８０に熱移動可能に構成されること、外装ケース１８０に別部品である充電器５の外装ケースが接触、固定されて一体となること、外装ケース１８０と充電器５の外装ケースとが一つの部品で構成されて一体になること、等である。
【００５６】
スイッチング素子５０は、電力ロスによって発熱するため、冷却を必要とする部品である。その発熱は、基板５２、放熱板５３を介してアキュムレータ１８の外装ケース１８０に伝達し、さらにアキュムレータ１８内部の液体冷媒に熱移動する。
【００５７】
また、アキュムレータ１８の外装ケース１８０と充電器５の外装ケースの両方が伝熱性を有する素材（例えば、アルミニウム、銅、鉄等の金属材料）で形成される場合には、充電器５とアキュムレータ１８との接触部の熱抵抗が低下するように構成されている。このような構成により、充電器５からの発熱は、充電器５の外装ケースとアキュムレータ１８の外装ケース１８０を介して、アキュムレータ１８内部の液体冷媒に伝達される。また、基板５２とアキュムレータ１８の外装ケース１８０との間には、放熱板５３の代わりに、熱伝導グリス等の熱伝導性を高める部材を設けるようにしてもよい。
【００５８】
制御装置１０は、充電器５における発熱部、例えばスイッチング素子５０の温度が予め定める冷却実施温度を満たすときには、電磁弁１９を開くように制御して充電器５を冷却する。なお、スイッチング素子５０の温度は、素子温度センサ３２によって検出され、その温度信号は制御装置１０に入力される。
【００５９】
例えば、充電器５によって蓄電池への充電が行われるときに、スイッチング素子５０の温度が高く冷却実施温度を満たす場合は、電磁弁１９を開き、室内送風装置１７を駆動する。このとき、スイッチング素子５０の放熱により、熱移動可能に構成されたアキュムレータ１８内に蓄えられた液体冷媒の一部が気化し、スイッチング素子５０が冷却される。
【００６０】
一方、さらに室内送風装置１７を駆動することにより、蒸発器１６から放熱する。これにより、蒸発器１６内部の気体冷媒の一部が液化し、内部の圧力が低下するため、アキュムレータ１８の内部の気体冷媒は、第２の通路１１２を通って、蒸発器１６の上部タンク１６０に還流し（図２参照）、蒸発器１６で放熱して液化する。このとき、室内送風装置１７によって車室内へ供給される空気が加熱されるが、通常、充電中に乗員は車室内に不在であるため、乗員に不快感を与えることはない。
【００６１】
そして、蒸発器１６で液化した液体冷媒は、下部タンク１６１に停留してから、第１の通路１１１を通って、アキュムレータ１８に流下する。このように、アキュムレータ１８、蒸発器１６、及びループ通路１１０において、ループ式のヒートパイプが構成され、充電器５の冷却が実施されることになる。
【００６２】
次に、充電器の冷却制御について、図３及び図４を参照して説明する。図３は、車両用冷却装置２０における冷却制御を説明する第１のフローチャートである。図４は、当該冷却制御を説明する第２のフローチャートである。各フローチャートは、原則、制御装置１０の指令に基づいて実行される。図３に示すように、ステップ１００で充電条件が成立するか否かを判定する。充電条件の成立は、車両がイグニッションスイッチオフであること、受電部６１と商用電源６が充電ケーブル等によって充電可能状態にあること等である。
【００６３】
充電条件が成立する場合には、ステップ１０２で、液面センサ３０が検出する液位が所定値以上であるか否かを判定する。ステップ１０２で所定値以上であり、液冷媒がアキュムレータ１８内に充電器５を冷却可能なレベルまで溜まっていると判定した場合には、ステップ１０３に進み、蓄電池１への充電運転を実施する。このとき制御装置１０は、充電器５を制御することで、商用電源６の交流電力を直流電力に変換して蓄電池１への充電を実施する。この充電器５の作動によってスイッチング素子５０が発熱していくことになる。
【００６４】
ステップ１０２で所定値未満であり、液冷媒がアキュムレータ１８内に充電器５を冷却可能なレベルまで溜まっていないと判定した場合には、図４のステップ２００に進み、電磁弁１９を閉じ、室内送風装置１７を駆動しない処理を実行する。次にステップ２０１で、電動圧縮機１２を駆動するとともに、室外送風装置１４を駆動する処理を実行する。この処理により、空調用の冷凍サイクル１１が作動する。ここで、室外送風装置１４の駆動によって車室外への放熱があるが、室内送風装置１７は駆動されていないため、車室内に供給される空気からは吸熱しない。このため、液体冷媒として蒸発器１６に溜まる冷媒が増え、通常の空調作動時より早く液体冷媒を蓄えることができる。
【００６５】
次にステップ２０２で、充電条件が成立するか否かを判定する。途中で蓄電池１が満充電状態になった場合、受電部から充電ケーブルが外されて充電不能状態になった場合等には、ステップ２０２で充電条件不成立であると判定され、ステップ２０３で電動圧縮機１２を停止するとともに、室外送風装置１４を駆動しない処理を実行する。この処理により、冷凍サイクル１１は停止する。そして、ステップ２０４で充電停止の処理を実行し、本フローチャートを終了する。
【００６６】
ステップ２０２で、充電条件が成立すると判定すると、次にステップ２０５で、液面センサ３０が検出する液位が所定値以上であるか否かを判定する。ステップ２０５で所定値以上であり、液冷媒がアキュムレータ１８内に充電器５を冷却可能なレベルまで溜まっていると判定した場合には、ステップ２０６に進み、電動圧縮機１２を停止するとともに、室外送風装置１４を駆動しない処理を実行する。この処理により、冷凍サイクル１１は停止する。そして、図３のステップ１０３に進む。
【００６７】
ステップ２０５で所定値未満であり、液冷媒がアキュムレータ１８内に充電器５を冷却可能なレベルまで溜まっていないと判定した場合には、ステップ２０１に戻る。
【００６８】
ステップ１０２で所定値以上であると判定するか、ステップ２０６の処理実行後は、ステップ１０３に進み、蓄電池１への充電運転を実施する。次にステップ１０４で、スイッチング素子５０の温度が第１の判定温度Ｔ１以上であるか否かを判定する。第１の判定温度Ｔ１は、例えば、スイッチング素子が損傷しうる許容上限温度よりも３０℃以上低く設定される温度、８０℃に設定される。ステップ１０４で、Ｔ１未満であると判定すると、機器の寿命や機能発揮を損なうような温度でなく、充電器５を冷却する必要はないため、ステップ１０５で電磁弁１９を閉じ、室内送風装置１７を駆動しない処理を実行し、ステップ１０７に進む。ステップ１０５の処理により、室内送風装置１７を駆動しないことで、電力消費、騒音等を抑制することができる。また、室内送風装置１７を停止中は、アキュムレータ１８の外装ケース１８０から放熱が行われることにより、わずかであるが充電器５の冷却が行われている。
【００６９】
ステップ１０４で、Ｔ１以上であると判定すると、機器に一定の熱負荷がかかっており、充電器５を冷却する必要があるため、ステップ１０６で電磁弁１９を開き、室内送風装置１７を駆動する処理を実行する。この処理により、上述したように、スイッチング素子５０が冷却される。ステップ１０４でＴ１以上であると判定すると、冷却実施温度を満たすと判定したことになる。
【００７０】
ステップ１０５またはステップ１０６の後には、ステップ１０７で、スイッチング素子５０の温度が第２の判定温度Ｔ２以上であるか否かを判定する。第２の判定温度Ｔ２は、素子の寿命に影響を与えうる温度であり、スイッチング素子の許容上限温度よりも低い温度、例えば１２０℃に設定される。ステップ１０７で、Ｔ２未満であると判定すると、充電運転を継続するとともに、ステップ１００に戻り、上述の処理を実行していく。ステップ１０７でＴ２以上であると判定すると、素子の寿命に関わる状態であるため、充電運転を停止するとともに、ステップ１００に戻り、上述の処理を実行していく。
【００７１】
蓄電池１が満充電状態になった場合、受電部から充電ケーブルが外されて充電不能状態になった場合等には、ステップ１００で充電条件不成立であると判定され、ステップ１０１で充電停止の処理を実行し、本フローチャートを終了する。このように充電器の冷却制御では、充電運転中に充電器５の温度（例えば半導体素子の温度）が高い場合に冷却するのである。また、充電器の冷却制御では、ステップ１００で、充電条件不成立と判定するまで、充電器に関する所定の温度を監視し、冷却実施温度が成立するか否かによって充電器５の冷却要否を判定し続け、スイッチング素子の温度管理を行うのである。
【００７２】
本実施形態の車両用冷却装置２０がもたらす作用効果を以下に述べる。ループ通路１１０は、蒸発器１６とアキュムレータ１８とを接続して、蒸発器１６からアキュムレータ１８に向けて液体冷媒が流通する第１の通路１１１と、蒸発器１６とアキュムレータ１８とを接続して、アキュムレータ１８から蒸発器１６に向けて気体冷媒が流通する第２の通路１１２とからなる。充電器５のスイッチング素子５０の温度が予め定める冷却実施温度を満たす場合には、電磁弁１９は第１の通路１１１における液体冷媒の流通を許可してループ通路１１０を開放するとともに、蒸発器１６は、第２の通路１１２を介して内部に取り込んだ気体冷媒を、室内送風装置１７によって蒸発器１６に送風される空気と熱交換させることによって、気体冷媒の熱を放熱する。
【００７３】
これによれば、電磁弁１９の開動作によって第１の通路１１１を介して蒸発器１６からアキュムレータ１８への液体冷媒の流入を促す。さらに、スイッチング素子５０の発熱によってアキュムレータ１８の液体冷媒を気化して第２の通路１１２を介して蒸発器１６に戻し、さらに室内送風装置１７の送風によって蒸発器１６で液化させる。これにより、充電器５の熱を、アキュムレータ１８内の液体冷媒、冷媒の気化、蒸発器１６での冷媒の液化、室内空気の放熱の順に、熱移動させる。つまり、車両に搭載されている空調用の冷凍サイクル１１における蒸発器１６を放熱器として機能させることができる。具体的には、充電器５の発熱に気化した冷媒を蒸発器１６において再び液化することにより、蒸発器１６から車室内への送風空気に放熱することができる。これにより、専用のシステム等を追加することなく、車両の発熱体（例えば充電器５）の冷却を可能にする車両用冷却装置２０を提供できる。
【００７４】
また、車両用冷却装置２０は、液面センサ３０によって検出される液体冷媒の液位が、予め定める所定値未満であるときは、電動圧縮機１２を駆動し、かつ室内送風装置１７を動作しない処理を行う（ステップ２００、ステップ２０１）。
【００７５】
この制御によれば、アキュムレータ１８に液体冷媒が不足していると判断した場合に、蒸発器１６に液体冷媒をねこませるように冷凍サイクル１１内の冷媒流動を制御できる。つまり、冷媒液溜め部に、冷媒を溜めるように冷凍サイクル１１の作動を制御するのである。したがって、蒸発器１６にねこませた冷媒をアキュムレータ１８に蓄える状態に移行することが可能になり、充電器５を冷却できなくなる状態を回避することができる。
【００７６】
また、車両用冷却装置２０は、スイッチング素子５０の温度が予め定める第１の判定温度Ｔ１未満であるときは、冷却実施温度を満たさないと判定し、電磁弁１９は第１の通路１１１における液体冷媒の流通を禁止してループ通路１１０を閉塞するとともに、室内送風装置１７は動作しない処理を行う（ステップ１０５）。
【００７７】
この制御によれば、スイッチング素子５０の温度が冷却実施温度を満たさない第１の判定温度Ｔ１未満であるときは、電磁弁１９による流通禁止動作によってアキュムレータ１８への液体冷媒の流入を阻止するとともに、室内送風装置１７を駆動しないことにより、スイッチング素子５０の冷却を実施しない。これにより、無駄な冷却実施を抑制することが可能な装置を提供できる。
【００７８】
また、車両用冷却装置２０は、スイッチング素子５０の温度が、第１の判定温度Ｔ１以上であって、第１の判定温度Ｔ１よりも高温に設定された第２の判定温度Ｔ２以下であるときは、冷却実施温度を満たす処理を行う（ステップ１０６）。
【００７９】
この制御によれば、スイッチング素子５０の温度が冷却実施温度を満たす第１の判定温度Ｔ１以上で第２の判定温度Ｔ２以下の範囲にあるときは、電磁弁１９による流通許可動作によって第１の通路１１１を介して蒸発器１６からアキュムレータ１８への液体冷媒の流入を促すとともに、スイッチング素子５０の発熱によってアキュムレータ１８の液体冷媒を気化して第２の通路１１２を介して蒸発器１６に戻し、さらに蒸発器１６で液化させる。これにより、スイッチング素子５０の温度を予め定めた許容温度範囲に収めるように管理できる。
【００８０】
また、スイッチング素子５０の温度が第２の判定温度Ｔ２を超えるときは、充電器５による蓄電池１への充電を禁止する処理を行う（ステップ１０８）。この制御によれば、スイッチング素子５０の温度が第２の判定温度Ｔ２を超えるときは、上述の液体冷媒を使用した充電器５の冷却を行うのではなく、充電運転を停止する。これにより、スイッチング素子５０が発熱する状況を取り除くことができるので、素子の損傷を回避し、装置の寿命を延ばす措置を提供できる。
【００８１】
また、車両用冷却装置２０において、蒸発器１６と第１の通路１１１との接続部位は、アキュムレータ１８と第１の通路１１１との接続部位よりも高い位置に設定されている。流通許否装置は、第１の通路１１１を開閉する電磁弁１９で構成する。
【００８２】
この構成によれば、重力作用を利用することにより、蒸発器１６の液体冷媒をアキュムレータ１８に送ることが可能になる。これにより、電磁弁１９の採用により、車両用冷却装置２０の簡単化を実施できる。
【００８３】
（第２実施形態）
第２実施形態は、車両用冷却装置の構成及び充電器５の冷却制御について、第１実施形態に対する他の実施形態である。図５は、第２実施形態の車両用冷却装置の要部を示す概要図である。図６は、第２実施形態における充電器５の冷却制御を説明する第１のフローチャートである。図７は当該冷却制御を説明する第２のフローチャートである。図５に示す車両用冷却装置は、第１実施形態に対して、流通許否装置としてポンプ１９Ａを備えることが相違する。以下、第１実施形態と異なる部分のみ説明する。
【００８４】
ループ通路１１０Ａは、蒸発器１６とアキュムレータ１８とを環状に接続する通路であり、第１の通路１１１Ａと第２の通路１１２Ａを備えて構成される。第１の通路１１１Ａは、蒸発器１６とアキュムレータ１８とを接続する通路であって、蒸発器１６からアキュムレータ１８に向けて液体冷媒が流通する。第２の通路１１２Ａは、蒸発器１６とアキュムレータ１８とを接続する通路であって、アキュムレータ１８から蒸発器１６に向けて気体冷媒が流通する。
【００８５】
第１の通路１１１Ａは、一端部が蒸発器１６の下部タンク１６１の底部に接続され、他端部がアキュムレータ１８の外装ケース１８０に接続されている。第２の通路１１２Ａは、一端部がアキュムレータ１８の外装ケース１８０の上部に接続され、他端部が蒸発器１６の上部タンク１６０に接続されている。
【００８６】
第１の通路１１１Ａには、第１の通路１１１Ａにおける液体冷媒の流通を許可及び禁止する流通許否装置としてのポンプ１９Ａが設けられている。ポンプ１９Ａは、制御装置１０によって駆動されることにより、第１の通路１１１Ａにおいて液体冷媒を蒸発器１６側からアキュムレータ１８側へ強制的に移動させることができる。したがって、車両走行中等に、通常の空調が行われるときは、電動圧縮機１２が駆動され、ポンプ１９Ａが停止されると、蒸発器１６で送風される空気から吸熱し、この熱を凝縮器１３で室外空気に放熱する。さらにこのとき、冷媒の一部が液体冷媒として蒸発器１６の下部タンク１６１に停留するが、液体冷媒の流通は許可されないため、アキュムレータ１８へは移動せず、下部タンク１６１に留まる。
【００８７】
ポンプ１９Ａが駆動される場合には、蒸発器１６の下部タンク１６１に停留している液体冷媒は第１の通路１１１Ａを通って強制的に移動させられ、アキュムレータ１８の内部に流入して下部に溜まるようになる。アキュムレータ１８に蓄えられた液体冷媒は、液位検出装置の一例であり、アキュムレータ１８に取り付けられた液面センサ３０によって、その液面位置が検出される。検出された液面位置の情報は、制御装置１０に入力される。
【００８８】
制御装置１０は、充電器５における発熱部、例えばスイッチング素子５０の温度が予め定める冷却実施温度を満たすときには、ポンプ１９Ａを駆動して充電器５を冷却する。例えば、充電器５によって蓄電池への充電が行われるときに、スイッチング素子５０の温度が高く冷却実施温度を満たす場合は、ポンプ１９Ａを駆動し、室内送風装置１７を駆動する。このとき、スイッチング素子５０の放熱により、熱移動可能に構成されたアキュムレータ１８内に蓄えられた液体冷媒の一部が気化し、スイッチング素子５０が冷却される。
【００８９】
一方、さらに室内送風装置１７を駆動することにより、蒸発器１６から放熱する。これにより、蒸発器１６内部の気体冷媒の一部が液化し、内部の圧力が低下するため、アキュムレータ１８の内部の気体冷媒は、第２の通路１１２Ａを通って、蒸発器１６の上部タンク１６０に還流し（図５参照）、蒸発器１６で放熱して液化する。そして、蒸発器１６で液化した液体冷媒は、下部タンク１６１に停留してから、第１の通路１１１Ａを通って、アキュムレータ１８に流下する。このように、アキュムレータ１８、蒸発器１６、及びループ通路１１０Ａにおいて、ループ式のヒートパイプが構成され、充電器５の冷却が実施されることになる。
【００９０】
次に、充電器５の冷却制御について、図６及び図７を参照して説明する。なお、第１実施形態のフローチャートに対して、異なる処理のみ説明する。図６に示すフローチャートでは、図３のフローチャートに対してステップ１０５Ａ及びステップ１０６Ａが異なっている。図７に示すフローチャートでは、図４のフローチャートに対してステップ２００Ａが異なっている。
【００９１】
図６のステップ１０４で、Ｔ１未満であると判定すると、機器の寿命や機能発揮を損なうような温度でなく、充電器５を冷却する必要はないため、ステップ１０５Ａでポンプ１９Ａを駆動せず、室内送風装置１７を駆動しない処理を実行し、ステップ１０７に進む。ステップ１０５Ａの処理により、室内送風装置１７を駆動しないことで、電力消費、騒音等を抑制することができる。また、室内送風装置１７を停止中は、アキュムレータ１８の外装ケース１８０から放熱が行われることにより、わずかであるが充電器５の冷却が行われる。
【００９２】
ステップ１０４で、Ｔ１以上であると判定すると、機器に一定の熱負荷がかかっており、充電器５を冷却する必要があるため、ステップ１０６Ａでポンプ１９Ａを駆動し、室内送風装置１７を駆動する処理を実行する。この処理により、上述したように、スイッチング素子５０が冷却される。ステップ１０４でＴ１以上であると判定すると、冷却実施温度を満たすと判定したことになる。
【００９３】
また、ステップ１０２で所定値未満であり、液冷媒がアキュムレータ１８内に充電器５を冷却可能なレベルまで溜まっていないと判定した場合には、図７のステップ２００Ａに進み、ポンプ１９Ａを停止し、室内送風装置１７を駆動しない処理を実行する。
【００９４】
ここでポンプ１９Ａに必要な能力について説明する。冷媒（例えばＨＦＣ１３４ａ）の気化潜熱は、モリエル線図から算出すると、３５℃の場合、１６５ｋＪ／ｋｇであるため、充電器５の発熱量を１００Ｗとすると、毎秒約０．６ｇの冷媒が気化するようになる。ポンプ１９Ａは、この程度の液体冷媒（０．５ｃｃ程度）をアキュムレータ１８内に供給できる能力があればよく、小型ポンプでも実現可能である。
【００９５】
本実施形態の車両用冷却装置がもたらす作用効果を以下に述べる。本実施形態の流通許否装置は、第１の通路１１１において、蒸発器１６からアキュムレータ１８に向けて液体冷媒を強制的に流通させるポンプ１９Ａを用いる。この構成によれば、ポンプ１９Ａの駆動力を活用することにより、蒸発器１６の液体冷媒を強制的にアキュムレータ１８に送ることができる。これにより、蒸発器１６、アキュムレータ１８、及びループ通路１１０の位置関係に影響されにくい自由度の高い製品設計が可能になり、車両搭載性の向上も図れる。
【００９６】
（第３実施形態）
第３実施形態は、車両用冷却装置２０Ａの構成について、第１実施形態に対する他の実施形態である。図８は、第３実施形態の車両用冷却装置２０Ａを示す概要図である。以下、第１実施形態と異なる部分のみ説明する。
【００９７】
図８に示す車両用冷却装置２０Ａは、第１実施形態に対して、電動圧縮機１２のインバータ装置と充電器を一体に構成したエアコンインバータ一体型の充電器５Ａを備える点と、アキュムレータ１８Ｂ内の下部と電動圧縮機１２のハウジング１２０内の下部とを連通させる連通路８Ｂを備える点とが相違する。すなわち、ハウジング１２０内の下部には、アキュムレータ１８Ｂに溜められた液体冷媒が流入し、当該液体冷媒が溜まる冷媒液溜め部が設けられることになる。さらにエアコンインバータ一体型の充電器５Ａは、電動圧縮機１２のハウジング１２０における底部に一体に搭載されているため、連通路８Ｂを通じてアキュムレータ１８Ｂからハウジング１２０内に送られた液体冷媒によって、冷却される。
【００９８】
また、アキュムレータ１８Ｂは、電動圧縮機１２と近接、またはハウジング１２０に一体に設けられる。このため、アキュムレータ１８Ｂ内の上部とハウジング１２０内の上部とを連通する連通路８Ａは、第１実施形態の冷媒配管８に比べて短い通路を構成する。以上の構成により、車両用冷却装置２０Ａは、コンパクトなシステム構成を提供する。
【００９９】
（第４実施形態）
第４実施形態は、車両用冷却装置２０及び充電器５の冷却制御について、第１実施形態に対する他の実施形態である。図９は、第４実施形態の車両用冷却装置２０を示す構成図である。図１０は、車両用冷却装置２０Ｂにおける冷却制御を説明するフローチャートである。図９に示す車両用冷却装置２０Ｂは、第１実施形態に対して、乗員検出装置の一例である乗員検出センサ３３を備えることが相違する。以下、第１実施形態と異なる部分のみ説明する。
【０１００】
乗員検出センサ３３は、車室内１００に配置されたシート１０１における乗員の臀部等が載る着座シート部１０２に設けられる。乗員検出センサ３３は、所定値以上の圧力を検知することにより乗員の着座している状態を検出する。制御装置１０は、乗員検出センサ３３による検出信号を取得する。
【０１０１】
次に、充電器５の冷却制御について、図１０を参照して説明する。本フローチャートは、原則、制御装置１０の指令に基づいて実行される。図１０に示すように、ステップ３００で充電条件が成立するか否かを判定する。充電条件の成立は、車両がイグニッションスイッチオフであること、受電部６１と商用電源６が充電ケーブル等によって充電可能状態にあること等である。ステップ３０１で充電条件が成立しないと判定すると、ステップ３０１で充電停止の処理を実行し、本フローチャートを終了する。
【０１０２】
ステップ３００で充電条件が成立する場合には、ステップ３０２で、乗員検出センサ３３が検出する検出信号によって、着座シート部１０２に乗員が着座している否かを判定する。ステップ３０２で乗員の存在を検出しないと判定すると、第１実施形態または第２実施形態のステップ１０２に進み、図３及び図４に示す以降の処理が第１実施形態の説明に従って行われる。
【０１０３】
ステップ３０２で乗員の存在を検出したと判定した場合には、ステップ３０３に進み、室温センサ３１が検出する車室内温度が所定温度Ｔｒ以下であるか否かを判定する。所定温度Ｔｒは、例えば、車室内１００に乗員が存在するときに、蒸発器１６において放熱が行われた場合に、乗員が不快な温熱風を感じない程度に低下した状態の車室内温度に設定される。所定温度Ｔｒは、例えば１５℃に設定することができる。
【０１０４】
ステップ３０３で、車室内温度が所定温度Ｔｒ以下であると判定すると、車室内温度は低く、蒸発器１６からの放熱が車室内１００に供給されたとしても、乗員に対して不快感を与えるレベルにないと判断し、第１実施形態または第２実施形態のステップ１０２に進み、図３及び図４に示す以降の処理が第１実施形態の説明に従って行われる。この処理により、充電器５からの廃熱は、蒸発器１６の放熱を介して、車室内１００に放熱されて、車室内１００を暖房する熱として活用される。
【０１０５】
一方、ステップ３０３で、車室内温度が所定温度Ｔｒを超えると判定すると、ステップ３０４に進み、蓄電池１への充電運転を実施する。次にステップ３０５で、スイッチング素子５０の温度が第１の判定温度Ｔ１以上であるか否かを判定する。第１の判定温度Ｔ１は、例えば８０℃に設定される。ステップ３０５で、Ｔ１未満であると判定すると、充電器５を冷却する必要はないため、ステップ３０６で電動圧縮機１２を停止し、室外送風装置１４を駆動しない処理を実行して冷凍サイクル１１を停止し、ステップ３０８に進む。ステップ３０６の処理により、室外送風装置１４を駆動しないことで、電力消費、騒音等を抑制することができる。
【０１０６】
ステップ３０５で、Ｔ１以上であると判定すると、充電器５を冷却する必要があり、かつ車室内１００への放熱は乗員に対して不快感を与えうるため、ステップ３０７で電動圧縮機１２を駆動し、室外送風装置１４を駆動する処理を実行して、充電器５の廃熱を車室外へ排出する。この処理により、上述したように、スイッチング素子５０が冷却される。ステップ３０５でＴ１以上であると判定すると、冷却実施温度を満たすと判定したことになる。
【０１０７】
ステップ３０６またはステップ３０７の後には、ステップ３０８で、スイッチング素子５０の温度が第２の判定温度Ｔ２以上であるか否かを判定する。第２の判定温度Ｔ２は、素子の寿命に影響を与えうる温度であり、例えば１２０℃に設定される。ステップ３０８で、Ｔ２未満であると判定すると、充電運転を継続するとともに、ステップ３００に戻り、上述の処理を実行していく。ステップ３０８でＴ２以上であると判定すると、素子の寿命に関わる状態であるため、ステップ３０９で電動圧縮機１２を停止し、室外送風装置１４を駆動しない処理を実行して冷凍サイクル１１を停止する。さらにステップ３１０で充電停止の処理を実行し、本フローチャートを終了する。
【０１０８】
なお、乗員の有無の検出は、乗員検出センサ３３を用いる他、他の手段によるものでもよい。例えば、画像処理、超音波等を使用した乗員検出装置を採用してもよい。
【０１０９】
本実施形態の車両用冷却装置２０Ｂがもたらす作用効果を以下に述べる。本実施形態によれば、乗員検出センサ３３が乗員を検出した場合は、凝縮器１３の内部に取り込んだ冷媒を、室外送風装置１４によって凝縮器１３に送風される空気と熱交換させることによって、凝縮器１３において放熱する（ステップ３０７）。
【０１１０】
例えば、充電時に車室内１００に乗員が存在していることもある。この場合には、充電器５の廃熱を蒸発器１６の放熱を介して車室内１００に放出してしまうと、車室内１００の乗員が当該廃熱によって不快感をもつことがある。そこで、本実施形態の制御によれば、乗員が車室内１００に存在するとき、車室内１００ではなく、凝縮器１３を介して車室外に放熱を行う。これにより、乗員が充電器５の廃熱によって不快に感じることを抑制することができるので、乗員に快適性に配慮したシステムを実現できる。
【０１１１】
また、乗員検出センサ３３が乗員を検出したときでも、室温センサ３１によって検出される車室内温度が予め定める所定温度Ｔｒ以下である場合は、第２の通路１１２を介して蒸発器１６の内部に取り込んだ気体冷媒を、室内送風装置１７によって蒸発器１６に送風される空気と熱交換させることによって、蒸発器１６において放熱する（ステップ１０６またはステップ１０６Ａ）。
【０１１２】
これによれば、乗員検出センサ３３によって車室内１００に乗員を検出した場合であっても、車室内温度が低く、乗員に対して不快でない温熱感として受け取られると判断するときには、蒸発器１６を介して車室内１００に放熱を行う。これにより、充電器５の廃熱を、車室内温度を下げない暖房効果として利用することができる。したがって、充電器５の廃熱の有効活用と車両全体のエネルギー効率向上とを図ることができる。
【０１１３】
（他の実施形態）
以上、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【０１１４】
上記実施形態において、ステップ１０４、ステップ１０７等で判定される対象温度は、素子温度センサ３２によって検出されるスイッチング素子５０の温度であるが、その他の充電器５の耐久性、機能の確保に関係する温度であってもよい。例えば、スイッチング素子５０以外の電子部品の温度、充電器５Ｂの外装ケースの温度、基板の温度等を用いてもよい。
【０１１５】
上記各実施形態では、充電器５，５Ａにおける冷却の必要な部品として、複数のスイッチング素子を代表例として説明したが、冷却の対象部品としては、基板、制御回路等に搭載される他の電子部品等も含むものである。
【０１１６】
上記各実施形態において、本発明に係る冷媒液溜め部は、アキュムレータ１８，１８Ａ，１８Ｂによって実現されている。しかしながら、当該冷媒液溜め部は、蒸発器１６に気体冷媒を還流させることが可能な形態であればよく、上記の実施形態に限定されるものではない。
【０１１７】
上記各実施形態において、冷凍サイクル１１の冷媒を流動させる圧縮機は、スクロール型の圧縮機構を有する電動圧縮機１２であるが、この形態は一例にすぎず、電動でなく機械式の圧縮機や、他のピストン型やロータリー型等の圧縮機構を使用するものを採用してもよい。
【０１１８】
上記各実施形態において、制御装置１０は、単一の制御装置であるが、様々な機器を制御する統合的な制御装置を採用するようにしてもよく、また、互いに通信手段によって通信可能とする複数の制御装置を採用してもよい。
【０１１９】
また、上記の第３実施形態または第４実施形態に、第２実施形態のポンプ１９Ａ及びループ通路１１０Ａの構成を適用しても、何ら問題はない。
【符号の説明】
【０１２０】
５…充電器（発熱体）
１１…冷凍サイクル
１２…電動圧縮機（圧縮機）
１３…凝縮器（放熱用熱交換器）
１５…膨張弁（減圧装置）
１６…蒸発器
１７…室内送風装置
１８，１８Ａ…アキュムレータ（冷媒液溜め部）
１９…電磁弁（流通許否装置）
１９Ａ…ポンプ（流通許否装置）
２０…車両用冷却装置
１１１，１１１Ａ…第１の通路
１１２，１１２Ａ…第２の通路
１１０，１１０Ａ…ループ通路
【図１】
0005724889.tif 000002
【図２】
0005724889.tif 000003
【図３】
0005724889.tif 000004
【図４】
0005724889.tif 000005
【図５】
0005724889.tif 000006
【図６】
0005724889.tif 000007
【図７】
0005724889.tif 000008
【図８】
0005724889.tif 000009
【図９】
0005724889.tif 000010
【図１０】
0005724889.tif 000011